(57)【要約】  携帯電話機の機能毎にセキュリティを解除することができる携帯電話機。この携帯電話機（１００）において、操作部（１０６）は、利用者の携帯電話機の操作内容を示す操作情報を取得し、生体情報読取部（１０７）は、利用者の生体情報を読み取し、認証情報照合部（１１０）は、取得した操作情報及び読み取った生体情報と一致するものが認証情報（操作パタン、生体パタン）の中にあるか否かを照合し、認証情報の中に一致するものがある場合、ロック解除部（１１１）は、一致した認証情報の操作パタンに特定される機能のロックを解除する。
2008032374.tif 000002
【特許請求の範囲】
【請求項１】
所定の操作内容を示す操作パタンと、所定の生体情報の内容を示す生体パタンと、各操作パタンから特定される機能とを関連付けたデータセットからなる認証情報を記憶する記憶手段と、
利用者の携帯電話機の操作内容を示す操作情報を取得する操作情報取得手段と、
前記利用者の生体情報を読み取る生体情報読取手段と、
前記取得された操作情報及び前記読み取られた生体情報と一致するものが前記認証情報の中にあるか否かを判断する認証情報照合手段と、
前記認証情報の中に一致するものがある場合、前記一致した認証情報の操作パタンに特定される機能のロックを解除する解除手段と、
を有する携帯電話機。
【請求項２】
前記操作情報は、前記携帯電話機の筐体の状態を変化させる操作内容を示す情報及び前記携帯電話機内の機能を実行する内容を示す情報である請求項１記載の携帯電話機。
【請求項３】
所定の操作内容を示す操作パタンと、所定の生体情報の内容を示す生体パタンと、各操作パタンから特定される機能とを関連付けたデータセットからなる認証情報をメモリに記憶する携帯電話機におけるロック解除方法であって、
利用者の携帯電話機の操作内容を示す操作情報を取得する操作情報取得工程と、
前記利用者の生体情報を読み取る生体情報読取工程と、
前記取得された操作情報及び前記読み取られた生体情報と一致するものが前記認証情報の中にあるか否かを判断する認証情報照合工程と、
前記認証情報の中に一致するものがある場合、前記一致した認証情報の操作パタンに特定される機能のロックを解除する解除工程と、を有するロック解除方法。
【発明の詳細な説明】
【技術分野】
【０００１】
本発明は、生体認証機能を備えた携帯電話機及びこの携帯電話機のロック解除方法に関する。
【背景技術】
【０００２】
従来、生体認証リーダを備えた携帯電話機としては、例えば、特許文献１に記載されているものが開示されている。図１は、従来の携帯電話機の構成を示す図である。図１において、セキュリティ制御部１１は、セキュリティボタン２３、電源スイッチ２２の操作に応じて、指紋読み取り部１２、指紋登録部１３、指紋照合比較部１５、指紋一時記憶部１４を制御し、指紋の登録、照合を行わせ、かつ、セキュリティ状態とセキュリティ解除状態の切り換えを行う。そして、携帯電話機１０において、セキュリティボタン２３が押下された後に、指紋読み取り部１２が指紋の読み取りを行い、指紋照合比較部１５が、読み取った指紋と、指紋登録部１３に登録される指紋との照合を行う。照合結果が一致する場合には、セキュリティが解除され、携帯電話機を利用することが可能になる。これにより、携帯電話機を落とした場合にユーザ以外の利用を防止している。
【特許文献１】特開平５−７２１９２号公報（第７頁、第１図）
【発明の開示】
【発明が解決しようとする課題】
【０００３】
しかしながら、従来の携帯電話機では、携帯電話機自体がセキュリティ解除対象になっているため、例えば、１つの携帯電話機の機能毎に使用可能／使用不可能を区別してセキュリティをかけることはできない。つまり、携帯電話機の操作全体に対するセキュリティに特化しており利便性が制限される問題がある。【０００４】
本発明の目的は、携帯電話機の機能毎にセキュリティを解除することができる携帯電話機及びこの携帯電話機のロック解除方法を提供することである。
【課題を解決するための手段】
【０００５】
本発明の携帯電話機は、所定の操作内容を示す操作パタンと、所定の生体情報の内容を示す生体パタンと、各操作パタンから特定される機能とを関連付けたデータセットからなる認証情報を記憶する記憶手段と、利用者の携帯電話機の操作内容を示す操作情報を取得する操作情報取得手段と、前記利用者の生体情報を読み取る生体情報読取手段と、前記取得された操作情報及び前記読み取られた生体情報と一致するものが前記認証情報の中にあるか否かを判断する認証情報照合手段と、前記認証情報の中に一致するものがある場合、前記一致した認証情報の操作パタンに特定される機能のロックを解除する解除手段と、を有する構成を採る。
【発明の効果】
【０００６】
本発明によれば、携帯電話機の操作情報および利用者の生体情報に基づく機能のロックを解除し、携帯電話機の機能毎にロックを解除することができる。
【図面の簡単な説明】
【０００７】
【図１】従来の携帯電話機の構成を示す機能ブロック図
【図２】本発明の一実施の形態に係る携帯電話機の開状態を示す概略図
【図３】本発明の一実施の形態に係る携帯電話機の閉状態を示す概略図
【図４】本発明の一実施の形態に係る携帯電話機の構成を示す機能ブロック図
【図５】本発明の一実施の形態に係る携帯電話機の生成する認証情報の一例を説明する図
【図６】本発明の一実施の形態に係る携帯電話機の認証情報生成動作を示すフロー図
【図７】本発明の一実施の形態に係る携帯電話機の認証動作を示すフロー図
【発明を実施するための最良の形態】
【０００８】
以下、本発明の実施の形態について、図面を参照しながら説明する。図２及び図３は、本発明の実施の形態１に係る携帯電話機１００を示す概略図である。図２は、折り畳み型携帯電話機１００の開状態を示し、図３は、折り畳み型携帯電話機１００の閉状態を示している。なお、本実施の形態では、折り畳み型携帯電話機を例に説明を進めるが、この形に限定されるものではなく、例えば、フリップ型、スライド型、リボルバ型の携帯電話機でも本発明は適用可能である。【０００９】
図２及び図３に示す携帯電話機１００は、上部筐体１０１と下部筐体１０２とがヒンジ部（図示せず）により開閉自在に連結されている。図２Ａ及び図３Ａに示す下部筐体１０２の側面にはユーザの指紋等を認証する生体認証リーダ１０３が配設され、この生体認証リーダに指先を合わせることにより、利用者の指紋が読み取られる。【００１０】
図２Ｂ及び図３Ｂに示す下部筐体１０２の生体認証リーダが配設される側面の反対の側面には携帯電話機１００の、例えば、非接触決済機能などの機能を実行するサイドボタン１０４が配設されている。このサイドボタンが押下されることにより、例えば、非接触決済機能が起動し、実行される。また、上部筐体１０１の側面には携帯電話機１００の当該上部筐体と下部筐体を開放させるワンプッシュオープンボタン１０５が配設されている。なお、生体認証リーダ１０３、サイドボタン１０４、ワンプッシュオープンボタン１０５の配設位置は、上部筐体１０１または下部筐体１０２または図示していないヒンジ部のいずれの位置でもよい。【００１１】
次に、上述した携帯電話機１００の構成について説明する。図４は、本実施の形態に係る携帯電話機１００の構成を示す機能ブロック図である。【００１２】
図４に示す携帯電話機１００は、操作部１０６と、生体情報読取部１０７と、認証情報生成部１０８と、認証情報格納部１０９と、認証情報照合部１１０と、ロック解除部１１１と、外部通信部１１２と、データ記憶部１１３と、携帯電話機能部１１４と、制御部１１５と、表示部１１６と、から主に構成される。【００１３】
操作部１０６は、例えば、キー、ボタン及びスイッチ等で構成され、特に、セキュリティ解除に必要な認証情報を生成する場合、および、セキュリティ解除を行う場合、利用者が携帯電話機１００に任意の操作を行うと、この操作内容を示す操作情報を制御部１１５に出力する。例えば、利用者が、ワンプッシュボタンの押下により携帯電話機１００の開閉を行った場合には、操作部１０６は、この開閉を示す操作情報を、携帯電話機１００のサイドボタンの押下により非接触決済機能を実行した場合には、この非接触決済機能の実行を示す操作情報を制御部１１５に出力する。【００１４】
ここで、操作情報は、例えば、携帯電話機１００の筐体の状態を変える操作を示す情報および携帯電話機の機能を実行する操作を示す情報である。例えば、折り畳み型携帯電話機を開閉する操作及びスライド型携帯電話機の上部筐体を下部筐体に対してスライドさせる操作が、携帯電話機の筐体の状態を変える操作であり、非接触決済機能の短縮実行を可能にする筐体側面に配設されるサイドボタンを押下する操作が、携帯電話機の機能を実行する操作である。【００１５】
生体情報読取部１０７は、カメラ等のセンサにより利用者の生体情報を読み取り、制御部１１５に出力する。例えば、生体情報読取部１０７は、ＣＣＤカメラ等のセンサで構成され、指紋読み取り窓に押し付けられた利用者の残留指紋を生体情報として制御部１１５に出力する。なお、生体情報は、指紋情報の他に、例えば、利用者の顔、網膜、血管、音声及び筆跡等でもよい。【００１６】
認証情報生成部１０８は、制御部１１５から入力される操作情報及び生体情報を操作パタン及び生体パタンとし、当該操作パタンから特定される機能、つまり、ロック解除対象を、操作パタン、生体パタンとともにデータセットとする認証情報を生成し、認証情報格納部１０９に出力する。認証情報格納部１０９は、認証情報生成部１０８から入力される認証情報を記憶する。なお、認証情報については、後述して説明する。【００１７】
認証情報照合部１１０は、制御部１１５から入力される操作情報及び当該操作情報に対応付けられる生体情報と一致するものが、認証情報格納部１０９に記憶される認証情報（操作パタン、生体パタン）の中にあるか否かを照合し、照合結果をロック解除部１１１に出力する。【００１８】
ロック解除部１１１は、認証情報照合部１１０の照合結果に応じて、外部通信部１１２、データ記憶部１１３及び携帯電話機能部１１４に設定されるロック機能を解除する。外部通信部１１２は、例えば、非接触電子決済時など携帯電話機外部との非接触通信機能で構成され、ロック解除部１１１のロック解除により、当該機能が実行される。データ記憶部１１３は、例えば、電話帳データ、メールデータ及び写真データなどの個人データを分類して格納し、ロック解除部１１１のロック解除により、当該データは閲覧可能になる。携帯電話機能部１１４は、セキュリティロックを設定可能な携帯電話機１００内の機能で構成され、ロック解除部１１１のロック解除により実行可能となる。【００１９】
制御部１１５は、携帯電話機１００の各部を制御する。特に、認証情報を生成する場合には、制御部１１５は、操作部１０６から入力される操作情報を認証情報生成部１０８に出力し、生体情報読取部１０７から入力される生体情報を認証情報生成部１０８に出力する。また、認証情報を照合する場合には、制御部１１５は、操作部１０６から入力される操作情報と、この操作情報の照合指示を、認証情報照合部１１０に出力し、生体情報読取部１０７から入力される生体情報と、この生体情報の照合指示を、認証情報照合部１１０に出力する。【００２０】
表示部１１６は、例えば、ＬＣＤディスプレイで構成され、操作部１０６の操作結果、認証情報照合部１１０の照合結果、データ記憶部１１３から読み出された各種データを表示する。【００２１】
次に、図５を用いて、認証情報について説明する。図５は、認証情報生成部１０８で生成され、認証情報格納部１０９に格納される認証情報の一例を説明する図である。【００２２】
図５に示す認証情報５００は、操作パタン５０１と、ロック解除対象５０２と、生体パタン５０３とが関連付けられて１つのデータセットとなっている。そして、１又は複数のデータセットが、認証情報格納部１０９に格納される。【００２３】
操作パタン５０１は、例えば、ワンプッシュボタンの押下による携帯電話機の開閉や、サイドボタンの押下による携帯電話機の機能の実行を示す情報であり、この操作パタン５０１によりロック解除対象機能が特定される。また、操作情報、生体情報と、操作パタン５０１、生体パタン５０３が一致することにより、当該操作パタン５０１から特定されるロック解除対象５０２に示される機能のロックが解除される。【００２４】
ここで、操作情報には、折り畳み型携帯電話機を閉状態から開状態にする動作やスライド型携帯電話機の筐体のスライド動作などの操作内容も含まれる。また、操作情報は、同一のボタンであっても、通常の押下の場合と、この通常の押下より長時間押下するいわゆる長押しの場合とで、異なる操作情報とすることも可能である。【００２５】
また、開／閉状態検出手段を備えず、開／閉状態を考慮しないことで、開／閉状態を考慮する必要のないストレート型携帯電話機にも適用可能である。【００２６】
また、操作パタンは、複数の操作の組み合わせであってもよい。例えば、図５のセット２で示すように、ワンプッシュボタン押下による携帯電話機を閉状態から開状態にする操作と、ボタンＡを押下する操作と、を組み合わせるようにしてもよい。また、複数の操作の組み合わせる場合、操作の順序を考慮してもよい。【００２７】
ロック解除対象５０２は、ロック機能を有する携帯電話機の機能を示し、操作パタン５０１により特定される。ここで、認証情報５００中に、同一のロック解除対象５０２、つまり、同一の機能を複数設定することができる。また、同一のロック解除対象５０２の中で、例えば、一部の機能のみを使用可能にするようにも設定することもできる。【００２８】
生体パタン５０３は、例えば、利用者の指紋の情報である。この生体パタン５０３は、例えば、図５のセット１で示すユーザＡの右手人差指の指紋や、セット２で示すようにユーザＡの右手親指の指紋のように同一の利用者の異なる生体情報としてもよい。【００２９】
これにより、例えば、携帯電話機が開状態と閉状態の場合では、利用者の携帯電話機の把持方法が異なるように、この把持方法に応じた指の指紋を生体情報とすることができる。すなわち、携帯電話機の把持方法や操作方法に応じた生体情報を登録することにより、一連の操作に生体情報の読取動作を組み込む事が可能となるため、利用者がわずらわしさを感じることがない。【００３０】
なお、図５では、操作パタン５０１と、ロック解除対象５０２と、生体パタン５０３の３つの情報を１セットとして格納する例を示したが、３つの情報を関連付けて管理できるようなデータ形式であればどのような形式でもよい。【００３１】
次に、上述した構成の本実施の形態の携帯電話機１００の動作を説明する。まず、図６を用いて認証情報生成処理について説明する。【００３２】
図６は、本実施の形態に係る携帯電話機１００の認証情報生成動作を示すフロー図である。【００３３】
まず、ステップＳ６０１では、利用者の操作により操作部１０６が、セキュリティロックの解除を行う対象機能を選択する。ここで、例えば、セキュリティロックの解除対象として非接触決済機能が選択されたとする。【００３４】
次に、ステップＳ６０２では、利用者が携帯電話機１００に任意の操作を行い、操作部１０６は、この操作を示す操作情報を制御部１１５に出力する。ここで、例えば、任意の操作として、非接触決済機能のロック解除メニューを表示させるサイドボタンが押下されたものとする。【００３５】
次に、ステップＳ６０３では、生体情報読取部１０７が、利用者の生体情報を読み取り、制御部１１５に出力する。ここでは、例えば、利用者の右手人差指の指紋情報が、生体情報として読み取られる。【００３６】
次に、ステップＳ６０４では、認証情報生成部１０８が、制御部１１５からステップＳ６０２で行われた利用者の操作情報を取得する。【００３７】
次に、ステップＳ６０５では、認証情報生成部１０８が、制御部１１５からステップＳ６０４で読み取られた利用者の生体情報を取得する。【００３８】
次に、ステップＳ６０６では、認証情報生成部１０８が、ステップＳ６０４で取得した操作情報を操作パタンとし、ステップＳ６０５で取得した生体情報を生体パタンとし、操作パタン、生体パタンおよびステップＳ６０１で選択されたロック解除対象を関連付けて認証情報を生成する。これにより、操作パタンからロック解除対象である機能が特定される。そして、認証情報生成部１０８は、生成した認証情報を認証情報格納部１０９に格納し、認証情報生成処理を終了する。【００３９】
なお、認証情報の生成及び登録動作は、上述したステップＳ６０１からステップＳ６０６の順番に限定されるものではなく、ロック解除対象（機能）に対して、操作情報と生体情報と関連付けられる認証情報の生成及び登録動作であれば、本発明は適用可能である。【００４０】
また、ステップＳ６０６の処理完了後にセキュリティロック解除についての設定完了を表示、音、振動で利用者に通知するようにしてもよい。また、ステップＳ６０２からステップＳ６０６の処理を繰り返すことにより、同じセキュリティロック解除対象に対して、異なる操作パタン及び生体パタンを一度に設定するようにしてもよい。また、重複する認証情報の設定を避けるために、例えば、ステップＳ６０５の処理後に認証情報格納部１０９に重複するデータセットが存在しないかを確認する処理を行い、その結果を表示、音、振動で利用者に通知するようにしてもよい。【００４１】
このように、本実施の形態では、従来のようにセキュリティ機能を実行するためだけにセキュリティボタンを独自に設定するのではなく、既に携帯電話機に配設される任意のボタン等を当該セキュリティボタンに割り当てることができる。すなわち、所望の機能を利用する場合、携帯電話機の把持方法及び操作方法に応じた、認証情報を生成することができる。【００４２】
例えば、非接触決裁機能のロックの解除設定をする場合、利用者が、当該非接触決済機能のロック解除を設定するメニューを選択するためにサイドボタンを押下し（操作情報）、指紋リーダなど生体情報読取部１０７に右手人差指をあてる（生体情報）。この操作情報が操作パタンとなり、生体情報が生体パタンとなり、操作パタンと生体パタンとが関連付けられ、当該操作パタンから特定される機能が非接触決済機能（ロック解除対象）となる認証情報が生成され、登録される。つまり、この認証情報は、利用者が実際に使用する持ち方に基づく指の種類、置き方及び位置等、利用者特有のものとなっているため、ロック解除時に認証用生体情報を取得する場合、利用者が通常の使用方法で認証処理を行うことが可能となるとともに、認証情報が利用者特有の使用方法及び操作方法に基づいているため認証精度を高めることができる。【００４３】
また、同一のロック解除対象の認証情報を複数組格納することができるため、例えば、携帯電話機の開状態と閉状態とで異なる操作内容を示す操作パタンと、この操作パタンにそれぞれ対応づけられる生体パタンを同一のロック解除対象（つまり、同一の機能）に関連付けることにより、同一の機能に対して異なるセキュリティロックの解除設定をすることができる。また、利用者毎に異なる生体情報を生体パタンとして登録することにより、同一の操作パタン及び同一のロック解除対象の場合でも、生体情報の照合により利用者を区別する判断が可能なので、携帯電話機を共有することもできる。【００４４】
次に、図７を用いて本実施の形態に係る携帯電話機１００の認証処理について説明する。図７は、本実施の形態に係る携帯電話機１００の認証処理動作を示すフロー図である。【００４５】
まず、ステップＳ７０１では、利用者が任意の操作を行い、操作部１０６は、この操作の内容を示す操作情報を制御部１１５に出力する。そして、制御部１１５は、この操作情報を認証情報照合部１１０に出力するとともに、当該操作情報の照合指示を出力する。【００４６】
次に、ステップＳ７０２では、認証情報照合部１１０は、制御部１１５から入力された操作情報に一致するものが、認証情報格納部１０９に格納されている認証情報の操作パタンの中にあるか否かを検出する。ここで、操作情報が複数ある場合には、認証情報照合部１１０は、操作情報の組み合わせの一致を検出する。そして、一致する操作パタンがある場合（ステップＳ７０３：Ｙｅｓ）、ステップＳ７０４に処理を進み、一致する操作パタンがない場合（ステップＳ７０３：Ｎｏ）、ステップＳ７０１の処理に戻る。【００４７】
そして、ステップＳ７０３で一致する操作パタンがある場合、ステップＳ７０４では、生体情報読取部１０７が、利用者の生体情報を読み取り、制御部１１５に出力し、制御部１１５が、この生体情報を認証情報照合部１１０に出力する。【００４８】
次に、ステップＳ７０５では、認証情報照合部１１０が、ステップＳ７０２で検出した認証パタンに対応する生体パタンと、ステップＳ７０４で読み取られた生体情報と、を照合し、照合結果をロック解除部１１１に出力する。ここで、照合結果が一致する場合には（ステップＳ７０６：Ｙｅｓ）、ステップＳ７０７の処理に進み、照合結果が一致しない場合には（ステップＳ７０７：Ｎｏ）、ステップＳ７０８の処理に進む。【００４９】
そして、ステップＳ７０６で照合結果が一致する場合、ステップＳ７０７では、ロック解除部１１１が、操作パタンから特定される機能のロックを解除し、処理を終了する。これにより、携帯電話機全体のセキュリティロックを解除することなく、操作パタンから特定される機能のみのセキュリティロックを解除することができる。【００５０】
一方、ステップＳ７０６で照合結果が一致しない場合、ステップＳ７０８では、認証情報照合部１１０は、認証情報格納部１０９に格納されている認証情報の中に、ステップＳ７０２で検出した操作情報と一致する操作パタンが他にないかを判定する。ここで、一致する操作パタンが他にある場合（ステップＳ７０８：Ｙｅｓ）、ステップＳ７０５の処理に戻り、一致する操作パタンが他にない場合（ステップＳ７０８：Ｎｏ）、処理を終了する。【００５１】
なお、認証情報の照合動作については、上記順序に限定されるものではなく、例えば、操作情報と生体情報とを併せて照合するようにしてもよい。また、ステップＳ７０５において、複数の認証情報を併せて照合するようにしてもよい。【００５２】
このように、本実施の形態によれば、携帯電話機は、利用者の携帯電話機の操作内容を示す操作情報を取得し、当該利用者の生体情報を読み取る。そして、携帯電話機は、取得された操作情報及び読み取られた生体情報と一致するものが認証情報の中にあるか否かを照合し、認証情報の中に一致するものがある場合、操作パタンから特定される機能のロックを解除する。これにより、携帯電話機の機能毎にロックを解除することができる。【００５３】
すなわち、本発明は、携帯電話機の操作を示す操作情報及びユーザの生体情報を対応させた認証情報を有し、この認証情報により特定される機能毎のセキュリティの登録及び解除を行う。【００５４】
これにより、例えば、開状態または閉状態のどちらでも実行可能な機能を持つ携帯電話機の場合、開状態で通常行う操作を示す操作情報と、閉状態で通常行う操作を示す操作情報それぞれに対応付けられる生体情報を登録することにより、携帯電話機がどちらの状態であっても、利用者の操作に応じた認証動作を行うことができる。【００５５】
また、利用者毎に異なる生体情報を登録することにより、同一の操作情報及び同一のロック解除対象の場合でも、生体情報の照合により利用者を区別する判断が可能なので、携帯電話機を複数の利用者間で共有することもできる。
【産業上の利用可能性】
【００５６】
本発明の携帯電話機は、携帯電話機の機能毎にロックを解除することができる効果を有し、生体認証機能を有する携帯電話機として有用である。
【図１】
2008032374.tif 000003
【図２】
2008032374.tif 000004
【図３】
2008032374.tif 000005
【図４】
2008032374.tif 000006
【図５】
2008032374.tif 000007
【図６】
2008032374.tif 000008
【図７】
2008032374.tif 000009
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
所定の操作内容を示す操作パタンと、所定の生体情報の内容を示す生体パタンと、各操作パタンから特定される機能とを関連付けたデータセットからなる認証情報を記憶する記憶手段と、
利用者の携帯電話機の操作内容を示す操作情報を取得する操作情報取得手段と、
前記利用者の生体情報を読み取る生体情報読取手段と、
前記取得された操作情報及び前記読み取られた生体情報と一致するものが前記認証情報の中にあるか否かを判断する認証情報照合手段と、
前記認証情報の中に一致するものがある場合、前記一致した認証情報の操作パタンに特定される機能のロックを解除する解除手段と、
を有する携帯電話機。
【請求項２】
前記操作情報は、前記携帯電話機の筐体の状態を変化させる操作内容を示す情報及び前記携帯電話機内の機能を実行する内容を示す情報である請求項１記載の携帯電話機。
【請求項３】
所定の操作内容を示す操作パタンと、所定の生体情報の内容を示す生体パタンと、各操作パタンから特定される機能とを関連付けたデータセットからなる認証情報をメモリに記憶する携帯電話機におけるロック解除方法であって、
利用者の携帯電話機の操作内容を示す操作情報を取得する操作情報取得工程と、
前記利用者の生体情報を読み取る生体情報読取工程と、
前記取得された操作情報及び前記読み取られた生体情報と一致するものが前記認証情報の中にあるか否かを判断する認証情報照合工程と、
前記認証情報の中に一致するものがある場合、前記一致した認証情報の操作パタンに特定される機能のロックを解除する解除工程と、を有するロック解除方法。
【手続補正２】
【補正対象書類名】明細書
【補正対象項目名】全文
【補正方法】変更
【補正の内容】
【発明の詳細な説明】
【技術分野】
【０００１】
本発明は、生体認証機能を備えた携帯電話機及びこの携帯電話機のロック解除方法に関する。
【背景技術】
【０００２】
従来、生体認証リーダを備えた携帯電話機としては、例えば、特許文献１に記載されているものが開示されている。図１は、従来の携帯電話機の構成を示す図である。図１において、セキュリティ制御部１１は、セキュリティボタン２３、電源スイッチ２２の操作に応じて、指紋読み取り部１２、指紋登録部１３、指紋照合比較部１５、指紋一時記憶部１４を制御し、指紋の登録、照合を行わせ、かつ、セキュリティ状態とセキュリティ解除状態の切り換えを行う。そして、携帯電話機１０において、セキュリティボタン２３が押下された後に、指紋読み取り部１２が指紋の読み取りを行い、指紋照合比較部１５が、読み取った指紋と、指紋登録部１３に登録される指紋との照合を行う。照合結果が一致する場合には、セキュリティが解除され、携帯電話機を利用することが可能になる。これにより、携帯電話機を落とした場合にユーザ以外の利用を防止している。
【特許文献１】特開平５−７２１９２号公報（第７頁、第１図）
【発明の開示】
【発明が解決しようとする課題】
【０００３】
しかしながら、従来の携帯電話機では、携帯電話機自体がセキュリティ解除対象になっているため、例えば、１つの携帯電話機の機能毎に使用可能／使用不可能を区別してセキュリティをかけることはできない。つまり、携帯電話機の操作全体に対するセキュリティに特化しており利便性が制限される問題がある。
【０００４】
本発明の目的は、携帯電話機の機能毎にセキュリティを解除することができる携帯電話機及びこの携帯電話機のロック解除方法を提供することである。
【課題を解決するための手段】
【０００５】
本発明の携帯電話機は、所定の操作内容を示す操作パタンと、所定の生体情報の内容を示す生体パタンと、各操作パタンから特定される機能とを関連付けたデータセットからなる認証情報を記憶する記憶手段と、利用者の携帯電話機の操作内容を示す操作情報を取得する操作情報取得手段と、前記利用者の生体情報を読み取る生体情報読取手段と、前記取得された操作情報及び前記読み取られた生体情報と一致するものが前記認証情報の中にあるか否かを判断する認証情報照合手段と、前記認証情報の中に一致するものがある場合、前記一致した認証情報の操作パタンに特定される機能のロックを解除する解除手段と、を有する構成を採る。
【発明の効果】
【０００６】
本発明によれば、携帯電話機の操作情報および利用者の生体情報に基づく機能のロックを解除し、携帯電話機の機能毎にロックを解除することができる。
【発明を実施するための最良の形態】
【０００７】
以下、本発明の実施の形態について、図面を参照しながら説明する。図２及び図３は、本発明の実施の形態１に係る携帯電話機１００を示す概略図である。図２は、折り畳み型携帯電話機１００の開状態を示し、図３は、折り畳み型携帯電話機１００の閉状態を示している。なお、本実施の形態では、折り畳み型携帯電話機を例に説明を進めるが、この形に限定されるものではなく、例えば、フリップ型、スライド型、リボルバ型の携帯電話機でも本発明は適用可能である。
【０００８】
図２及び図３に示す携帯電話機１００は、上部筐体１０１と下部筐体１０２とがヒンジ部（図示せず）により開閉自在に連結されている。図２Ａ及び図３Ａに示す下部筐体１０２の側面にはユーザの指紋等を認証する生体認証リーダ１０３が配設され、この生体認証リーダに指先を合わせることにより、利用者の指紋が読み取られる。
【０００９】
図２Ｂ及び図３Ｂに示す下部筐体１０２の生体認証リーダが配設される側面の反対の側面には携帯電話機１００の、例えば、非接触決済機能などの機能を実行するサイドボタン１０４が配設されている。このサイドボタンが押下されることにより、例えば、非接触決済機能が起動し、実行される。また、上部筐体１０１の側面には携帯電話機１００の当該上部筐体と下部筐体を開放させるワンプッシュオープンボタン１０５が配設されている。なお、生体認証リーダ１０３、サイドボタン１０４、ワンプッシュオープンボタン１０５の配設位置は、上部筐体１０１または下部筐体１０２または図示していないヒンジ部のいずれの位置でもよい。
【００１０】
次に、上述した携帯電話機１００の構成について説明する。図４は、本実施の形態に係る携帯電話機１００の構成を示す機能ブロック図である。
【００１１】
図４に示す携帯電話機１００は、操作部１０６と、生体情報読取部１０７と、認証情報生成部１０８と、認証情報格納部１０９と、認証情報照合部１１０と、ロック解除部１１１と、外部通信部１１２と、データ記憶部１１３と、携帯電話機能部１１４と、制御部１１５と、表示部１１６と、から主に構成される。
【００１２】
操作部１０６は、例えば、キー、ボタン及びスイッチ等で構成され、特に、セキュリティ解除に必要な認証情報を生成する場合、および、セキュリティ解除を行う場合、利用者が携帯電話機１００に任意の操作を行うと、この操作内容を示す操作情報を制御部１１５に出力する。例えば、利用者が、ワンプッシュボタンの押下により携帯電話機１００の開閉を行った場合には、操作部１０６は、この開閉を示す操作情報を、携帯電話機１００のサイドボタンの押下により非接触決済機能を実行した場合には、この非接触決済機能の実行を示す操作情報を制御部１１５に出力する。
【００１３】
ここで、操作情報は、例えば、携帯電話機１００の筐体の状態を変える操作を示す情報および携帯電話機の機能を実行する操作を示す情報である。例えば、折り畳み型携帯電話機を開閉する操作及びスライド型携帯電話機の上部筐体を下部筐体に対してスライドさせる操作が、携帯電話機の筐体の状態を変える操作であり、非接触決済機能の短縮実行を可能にする筐体側面に配設されるサイドボタンを押下する操作が、携帯電話機の機能を実行する操作である。
【００１４】
生体情報読取部１０７は、カメラ等のセンサにより利用者の生体情報を読み取り、制御部１１５に出力する。例えば、生体情報読取部１０７は、ＣＣＤカメラ等のセンサで構成
され、指紋読み取り窓に押し付けられた利用者の残留指紋を生体情報として制御部１１５に出力する。なお、生体情報は、指紋情報の他に、例えば、利用者の顔、網膜、血管、音声及び筆跡等でもよい。
【００１５】
認証情報生成部１０８は、制御部１１５から入力される操作情報及び生体情報を操作パタン及び生体パタンとし、当該操作パタンから特定される機能、つまり、ロック解除対象を、操作パタン、生体パタンとともにデータセットとする認証情報を生成し、認証情報格納部１０９に出力する。認証情報格納部１０９は、認証情報生成部１０８から入力される認証情報を記憶する。なお、認証情報については、後述して説明する。
【００１６】
認証情報照合部１１０は、制御部１１５から入力される操作情報及び当該操作情報に対応付けられる生体情報と一致するものが、認証情報格納部１０９に記憶される認証情報（操作パタン、生体パタン）の中にあるか否かを照合し、照合結果をロック解除部１１１に出力する。
【００１７】
ロック解除部１１１は、認証情報照合部１１０の照合結果に応じて、外部通信部１１２、データ記憶部１１３及び携帯電話機能部１１４に設定されるロック機能を解除する。外部通信部１１２は、例えば、非接触電子決済時など携帯電話機外部との非接触通信機能で構成され、ロック解除部１１１のロック解除により、当該機能が実行される。データ記憶部１１３は、例えば、電話帳データ、メールデータ及び写真データなどの個人データを分類して格納し、ロック解除部１１１のロック解除により、当該データは閲覧可能になる。携帯電話機能部１１４は、セキュリティロックを設定可能な携帯電話機１００内の機能で構成され、ロック解除部１１１のロック解除により実行可能となる。
【００１８】
制御部１１５は、携帯電話機１００の各部を制御する。特に、認証情報を生成する場合には、制御部１１５は、操作部１０６から入力される操作情報を認証情報生成部１０８に出力し、生体情報読取部１０７から入力される生体情報を認証情報生成部１０８に出力する。また、認証情報を照合する場合には、制御部１１５は、操作部１０６から入力される操作情報と、この操作情報の照合指示を、認証情報照合部１１０に出力し、生体情報読取部１０７から入力される生体情報と、この生体情報の照合指示を、認証情報照合部１１０に出力する。
【００１９】
表示部１１６は、例えば、ＬＣＤディスプレイで構成され、操作部１０６の操作結果、認証情報照合部１１０の照合結果、データ記憶部１１３から読み出された各種データを表示する。
【００２０】
次に、図５を用いて、認証情報について説明する。図５は、認証情報生成部１０８で生成され、認証情報格納部１０９に格納される認証情報の一例を説明する図である。
【００２１】
図５に示す認証情報５００は、操作パタン５０１と、ロック解除対象５０２と、生体パタン５０３とが関連付けられて１つのデータセットとなっている。そして、１又は複数のデータセットが、認証情報格納部１０９に格納される。
【００２２】
操作パタン５０１は、例えば、ワンプッシュボタンの押下による携帯電話機の開閉や、サイドボタンの押下による携帯電話機の機能の実行を示す情報であり、この操作パタン５０１によりロック解除対象機能が特定される。また、操作情報、生体情報と、操作パタン５０１、生体パタン５０３が一致することにより、当該操作パタン５０１から特定されるロック解除対象５０２に示される機能のロックが解除される。
【００２３】
ここで、操作情報には、折り畳み型携帯電話機を閉状態から開状態にする動作やスライ
ド型携帯電話機の筐体のスライド動作などの操作内容も含まれる。また、操作情報は、同一のボタンであっても、通常の押下の場合と、この通常の押下より長時間押下するいわゆる長押しの場合とで、異なる操作情報とすることも可能である。
【００２４】
また、開／閉状態検出手段を備えず、開／閉状態を考慮しないことで、開／閉状態を考慮する必要のないストレート型携帯電話機にも適用可能である。
【００２５】
また、操作パタンは、複数の操作の組み合わせであってもよい。例えば、図５のセット２で示すように、ワンプッシュボタン押下による携帯電話機を閉状態から開状態にする操作と、ボタンＡを押下する操作と、を組み合わせるようにしてもよい。また、複数の操作の組み合わせる場合、操作の順序を考慮してもよい。
【００２６】
ロック解除対象５０２は、ロック機能を有する携帯電話機の機能を示し、操作パタン５０１により特定される。ここで、認証情報５００中に、同一のロック解除対象５０２、つまり、同一の機能を複数設定することができる。また、同一のロック解除対象５０２の中で、例えば、一部の機能のみを使用可能にするようにも設定することもできる。
【００２７】
生体パタン５０３は、例えば、利用者の指紋の情報である。この生体パタン５０３は、例えば、図５のセット１で示すユーザＡの右手人差指の指紋や、セット２で示すようにユーザＡの右手親指の指紋のように同一の利用者の異なる生体情報としてもよい。
【００２８】
これにより、例えば、携帯電話機が開状態と閉状態の場合では、利用者の携帯電話機の把持方法が異なるように、この把持方法に応じた指の指紋を生体情報とすることができる。すなわち、携帯電話機の把持方法や操作方法に応じた生体情報を登録することにより、一連の操作に生体情報の読取動作を組み込む事が可能となるため、利用者がわずらわしさを感じることがない。
【００２９】
なお、図５では、操作パタン５０１と、ロック解除対象５０２と、生体パタン５０３の３つの情報を１セットとして格納する例を示したが、３つの情報を関連付けて管理できるようなデータ形式であればどのような形式でもよい。
【００３０】
次に、上述した構成の本実施の形態の携帯電話機１００の動作を説明する。まず、図６を用いて認証情報生成処理について説明する。
【００３１】
図６は、本実施の形態に係る携帯電話機１００の認証情報生成動作を示すフロー図である。
【００３２】
まず、ステップＳ６０１では、利用者の操作により操作部１０６が、セキュリティロックの解除を行う対象機能を選択する。ここで、例えば、セキュリティロックの解除対象として非接触決済機能が選択されたとする。
【００３３】
次に、ステップＳ６０２では、利用者が携帯電話機１００に任意の操作を行い、操作部１０６は、この操作を示す操作情報を制御部１１５に出力する。ここで、例えば、任意の操作として、非接触決済機能のロック解除メニューを表示させるサイドボタンが押下されたものとする。
【００３４】
次に、ステップＳ６０３では、生体情報読取部１０７が、利用者の生体情報を読み取り、制御部１１５に出力する。ここでは、例えば、利用者の右手人差指の指紋情報が、生体情報として読み取られる。
【００３５】
次に、ステップＳ６０４では、認証情報生成部１０８が、制御部１１５からステップＳ６０２で行われた利用者の操作情報を取得する。
【００３６】
次に、ステップＳ６０５では、認証情報生成部１０８が、制御部１１５からステップＳ６０４で読み取られた利用者の生体情報を取得する。
【００３７】
次に、ステップＳ６０６では、認証情報生成部１０８が、ステップＳ６０４で取得した操作情報を操作パタンとし、ステップＳ６０５で取得した生体情報を生体パタンとし、操作パタン、生体パタンおよびステップＳ６０１で選択されたロック解除対象を関連付けて認証情報を生成する。これにより、操作パタンからロック解除対象である機能が特定される。そして、認証情報生成部１０８は、生成した認証情報を認証情報格納部１０９に格納し、認証情報生成処理を終了する。
【００３８】
なお、認証情報の生成及び登録動作は、上述したステップＳ６０１からステップＳ６０６の順番に限定されるものではなく、ロック解除対象（機能）に対して、操作情報と生体情報と関連付けられる認証情報の生成及び登録動作であれば、本発明は適用可能である。
【００３９】
また、ステップＳ６０６の処理完了後にセキュリティロック解除についての設定完了を表示、音、振動で利用者に通知するようにしてもよい。また、ステップＳ６０２からステップＳ６０６の処理を繰り返すことにより、同じセキュリティロック解除対象に対して、異なる操作パタン及び生体パタンを一度に設定するようにしてもよい。また、重複する認証情報の設定を避けるために、例えば、ステップＳ６０５の処理後に認証情報格納部１０９に重複するデータセットが存在しないかを確認する処理を行い、その結果を表示、音、振動で利用者に通知するようにしてもよい。
【００４０】
このように、本実施の形態では、従来のようにセキュリティ機能を実行するためだけにセキュリティボタンを独自に設定するのではなく、既に携帯電話機に配設される任意のボタン等を当該セキュリティボタンに割り当てることができる。すなわち、所望の機能を利用する場合、携帯電話機の把持方法及び操作方法に応じた、認証情報を生成することができる。
【００４１】
例えば、非接触決裁機能のロックの解除設定をする場合、利用者が、当該非接触決済機能のロック解除を設定するメニューを選択するためにサイドボタンを押下し（操作情報）、指紋リーダなど生体情報読取部１０７に右手人差指をあてる（生体情報）。この操作情報が操作パタンとなり、生体情報が生体パタンとなり、操作パタンと生体パタンとが関連付けられ、当該操作パタンから特定される機能が非接触決済機能（ロック解除対象）となる認証情報が生成され、登録される。つまり、この認証情報は、利用者が実際に使用する持ち方に基づく指の種類、置き方及び位置等、利用者特有のものとなっているため、ロック解除時に認証用生体情報を取得する場合、利用者が通常の使用方法で認証処理を行うことが可能となるとともに、認証情報が利用者特有の使用方法及び操作方法に基づいているため認証精度を高めることができる。
【００４２】
また、同一のロック解除対象の認証情報を複数組格納することができるため、例えば、携帯電話機の開状態と閉状態とで異なる操作内容を示す操作パタンと、この操作パタンにそれぞれ対応づけられる生体パタンを同一のロック解除対象（つまり、同一の機能）に関連付けることにより、同一の機能に対して異なるセキュリティロックの解除設定をすることができる。また、利用者毎に異なる生体情報を生体パタンとして登録することにより、同一の操作パタン及び同一のロック解除対象の場合でも、生体情報の照合により利用者を区別する判断が可能なので、携帯電話機を共有することもできる。
【００４３】
次に、図７を用いて本実施の形態に係る携帯電話機１００の認証処理について説明する。図７は、本実施の形態に係る携帯電話機１００の認証処理動作を示すフロー図である。
【００４４】
まず、ステップＳ７０１では、利用者が任意の操作を行い、操作部１０６は、この操作の内容を示す操作情報を制御部１１５に出力する。そして、制御部１１５は、この操作情報を認証情報照合部１１０に出力するとともに、当該操作情報の照合指示を出力する。
【００４５】
次に、ステップＳ７０２では、認証情報照合部１１０は、制御部１１５から入力された操作情報に一致するものが、認証情報格納部１０９に格納されている認証情報の操作パタンの中にあるか否かを検出する。ここで、操作情報が複数ある場合には、認証情報照合部１１０は、操作情報の組み合わせの一致を検出する。そして、一致する操作パタンがある場合（ステップＳ７０３：Ｙｅｓ）、ステップＳ７０４に処理を進み、一致する操作パタンがない場合（ステップＳ７０３：Ｎｏ）、ステップＳ７０１の処理に戻る。
【００４６】
そして、ステップＳ７０３で一致する操作パタンがある場合、ステップＳ７０４では、生体情報読取部１０７が、利用者の生体情報を読み取り、制御部１１５に出力し、制御部１１５が、この生体情報を認証情報照合部１１０に出力する。
【００４７】
次に、ステップＳ７０５では、認証情報照合部１１０が、ステップＳ７０２で検出した認証パタンに対応する生体パタンと、ステップＳ７０４で読み取られた生体情報と、を照合し、照合結果をロック解除部１１１に出力する。ここで、照合結果が一致する場合には（ステップＳ７０６：Ｙｅｓ）、ステップＳ７０７の処理に進み、照合結果が一致しない場合には（ステップＳ７０７：Ｎｏ）、ステップＳ７０８の処理に進む。
【００４８】
そして、ステップＳ７０６で照合結果が一致する場合、ステップＳ７０７では、ロック解除部１１１が、操作パタンから特定される機能のロックを解除し、処理を終了する。これにより、携帯電話機全体のセキュリティロックを解除することなく、操作パタンから特定される機能のみのセキュリティロックを解除することができる。
【００４９】
一方、ステップＳ７０６で照合結果が一致しない場合、ステップＳ７０８では、認証情報照合部１１０は、認証情報格納部１０９に格納されている認証情報の中に、ステップＳ７０２で検出した操作情報と一致する操作パタンが他にないかを判定する。ここで、一致する操作パタンが他にある場合（ステップＳ７０８：Ｙｅｓ）、ステップＳ７０５の処理に戻り、一致する操作パタンが他にない場合（ステップＳ７０８：Ｎｏ）、処理を終了する。
【００５０】
なお、認証情報の照合動作については、上記順序に限定されるものではなく、例えば、操作情報と生体情報とを併せて照合するようにしてもよい。また、ステップＳ７０５において、複数の認証情報を併せて照合するようにしてもよい。
【００５１】
このように、本実施の形態によれば、携帯電話機は、利用者の携帯電話機の操作内容を示す操作情報を取得し、当該利用者の生体情報を読み取る。そして、携帯電話機は、取得された操作情報及び読み取られた生体情報と一致するものが認証情報の中にあるか否かを照合し、認証情報の中に一致するものがある場合、操作パタンから特定される機能のロックを解除する。これにより、携帯電話機の機能毎にロックを解除することができる。
【００５２】
すなわち、本発明は、携帯電話機の操作を示す操作情報及びユーザの生体情報を対応させた認証情報を有し、この認証情報により特定される機能毎のセキュリティの登録及び解除を行う。
【００５３】
これにより、例えば、開状態または閉状態のどちらでも実行可能な機能を持つ携帯電話機の場合、開状態で通常行う操作を示す操作情報と、閉状態で通常行う操作を示す操作情報それぞれに対応付けられる生体情報を登録することにより、携帯電話機がどちらの状態であっても、利用者の操作に応じた認証動作を行うことができる。
【００５４】
また、利用者毎に異なる生体情報を登録することにより、同一の操作情報及び同一のロック解除対象の場合でも、生体情報の照合により利用者を区別する判断が可能なので、携帯電話機を複数の利用者間で共有することもできる。
【産業上の利用可能性】
【００５５】
本発明の携帯電話機は、携帯電話機の機能毎にロックを解除することができる効果を有し、生体認証機能を有する携帯電話機として有用である。
【図面の簡単な説明】
【００５６】
【図１】従来の携帯電話機の構成を示す機能ブロック図
【図２】本発明の一実施の形態に係る携帯電話機の開状態を示す概略図
【図３】本発明の一実施の形態に係る携帯電話機の閉状態を示す概略図
【図４】本発明の一実施の形態に係る携帯電話機の構成を示す機能ブロック図
【図５】本発明の一実施の形態に係る携帯電話機の生成する認証情報の一例を説明する図
【図６】本発明の一実施の形態に係る携帯電話機の認証情報生成動作を示すフロー図
【図７】本発明の一実施の形態に係る携帯電話機の認証動作を示すフロー図
【手続補正３】
【補正対象書類名】図面
【補正対象項目名】全図
【補正方法】変更
【補正の内容】
【図１】
2008032374.tif 000010
【図２】
2008032374.tif 000011
【図３】
2008032374.tif 000012
【図４】
2008032374.tif 000013
【図５】
2008032374.tif 000014
【図６】
2008032374.tif 000015
【図７】
2008032374.tif 000016
【国際調査報告】
2008032374.tif 000017
2008032374.tif 000018